(57)【要約】【課題】  多焦点眼内レンズの見え方シミュレーションを好適に行う。【解決手段】  眼内レンズを装用したときの網膜像のシミュレーションを行うための眼科測定プログラムにおいて、角膜が持つ第１の収差データと、多焦点眼内レンズが持つ第２の収差データと、を取得する第１のステップと、瞳孔径データ及び視標位置データを取得する第２のステップと、第１収差データと第２収差データと視標位置データに基づき、遠用焦点で結像する視標光束による遠用ＰＳＦと近用焦点で結像する視標光束による近用ＰＳＦとを演算する第３のステップと、遠用ＰＳＦ及び近用ＰＳＦに基づいて所定視標のシミュレーション画像を取得するステップであって、瞳孔径データに基づいて遠用焦点と近用焦点で結像する視標光束の各像強度データを取得し、シミュレーション画像のコントラストを変更する第４ステップと、を演算部が実行する。【選択図】      図３
2010200915.tif 000002
【特許請求の範囲】
【請求項１】
眼内レンズを装用したときの網膜像のシミュレーションを行うための眼科測定プログラムにおいて、
被検眼角膜が持つ第１の収差データと、多焦点眼内レンズが持つ第２の収差データと、を取得する第１のステップと、
前記シミュレーションを行う際の瞳孔径データ及び視標位置データを取得する第２のステップと、
前記第１の収差データと前記第２の収差データと前記視標位置データに基づき、遠用焦点で結像する視標光束による遠用点像分布関数と、近用焦点で結像する視標光束による近用点像分布関数と、を演算する第３のステップと、
第３のステップにて取得される前記遠用点像分布関数及び近用点像分布関数に基づいて所定視標のシミュレーション画像を取得するステップであって、前記瞳孔径データに基づいて遠用焦点で結像する視標光束と近用焦点で結像する視標光束の各像強度データを取得し、取得された各像強度データに基づいて前記シミュレーション画像のコントラストを変更する第４ステップと、
を演算部が実行するための眼科測定プログラム。
【請求項２】
請求項１の眼科測定プログラムにおいて、
第２のステップは、前記視標位置データに応じて，前記瞳孔径データを変化させるステップを含むことを特徴とする眼科測定プログラム。
【請求項３】
請求項２の眼科測定プログラムにおいて、
前記第２ステップは、前記視標が呈示される場所の明るさのデータを取得するステップと、取得された前記明るさデータに応じて前記瞳孔径データを変化させるステップと、を含むことを特徴とする眼科測定プログラム。
【請求項４】
請求項３の眼科測定プログラムにおいて、
前記第４ステップは、前記明るさデータに基づいて前記シミュレーション画像のコントラストを変更することを特徴とする眼科測定プログラム。
【発明の詳細な説明】
【技術分野】
【０００１】
本発明は、眼内レンズを装用したときの網膜像をシミュレーションするための眼科測定プログラムに関する。
【背景技術】
【０００２】
従来、白内障の手術においては水晶体の代わりとして眼内レンズが使用されている。現在使用されている眼内レンズの多くは、単焦点のレンズであるが、近年の要望に伴い、異なる複数の焦点距離を持つ多焦点の眼内レンズが提案されている（特許文献１参照）。
【先行技術文献】
【特許文献】
【０００３】
【特許文献１】特表２０００−５１１２９９号公報
【発明の概要】
【発明が解決しようとする課題】
【０００４】
ところで、被検眼の測定データを得ておき、眼内レンズが被検眼に装用されたときの視標像の見え方をソフトウェアによりシミュレーションする装置が提案されている。しかしながら、前述のような多焦点眼内レンズの見え方シミュレーションについては、実施されていないのが現状である。
【０００５】
本発明は、上記問題点を鑑み、多焦点眼内レンズの見え方シミュレーションを好適に行うことができる眼科測定プログラムを提供することを技術課題とする。
【課題を解決するための手段】
【０００６】
上記課題を解決するために、本発明は以下のような構成を備えることを特徴とする。
【０００７】
（１）  眼内レンズを装用したときの網膜像のシミュレーションを行うための眼科測定プログラムにおいて、
被検眼角膜が持つ第１の収差データと、多焦点眼内レンズが持つ第２の収差データと、を取得する第１のステップと、
前記シミュレーションを行う際の瞳孔径データ及び視標位置データを取得する第２のステップと、
前記第１の収差データと前記第２の収差データと前記視標位置データに基づき、遠用焦点で結像する視標光束による遠用点像分布関数と、近用焦点で結像する視標光束による近用点像分布関数と、を演算する第３のステップと、
第３のステップにて取得される前記遠用点像分布関数及び近用点像分布関数に基づいて所定視標のシミュレーション画像を取得するステップであって、前記瞳孔径データに基づいて遠用焦点で結像する視標光束と近用焦点で結像する視標光束の各像強度データを取得し、取得された各像強度データに基づいて前記シミュレーション画像のコントラストを変更する第４ステップと、
を演算部が実行する。
（２）  （１）の眼科測定プログラムにおいて、
第２のステップは、前記視標位置データに応じて，前記瞳孔径データを変化させるステップを含むことを特徴とする。
（３）  （２）の眼科測定プログラムにおいて、
前記第２ステップは、前記視標が呈示される場所の明るさのデータを取得するステップと、取得された前記明るさデータに応じて前記瞳孔径データを変化させるステップと、を含むことを特徴とする。
（４）  （３の眼科測定プログラムにおいて、
前記第４ステップは、前記明るさデータに基づいて前記シミュレーション画像のコントラストを変更することを特徴とする。
【発明の効果】
【０００８】
本発明によれば、多焦点眼内レンズの見え方シミュレーションを好適に行うことができる。
【発明を実施するための形態】
【０００９】
以下、本発明の実施形態を図面に基づいて説明する。図１は、本実施形態に係る眼科測定プログラムを備えるシミュレーション装置（眼科測定装置）の全体構成について説明するブロック図である。
【００１０】
眼内レンズを装用したときの網膜像をシミュレーションするためのシミュレーション装置１は、ＣＰＵ（演算制御部）３０、入力部４０、メモリ（記憶部）３５、プリンタ４３、モニタ５０、画像処理部３１等、から構成されており、各部はバス等を介して接続されている。
【００１１】
ＣＰＵ３０は、メモリ３５に記憶されている網膜像シミュレーションプログラムや各種制御プログラムに基づいて各部の動作を制御する。また、入力部４０は、カーソルキー、数字入力キー、各種機能キー、等を備えたキーボード４２と、マウス４１と、を備える。画像処理部３１は、各種データやシミュレーション画像等を表示するモニタ５０の表示画面を制御する。また、メモリ３５は、ＨＤＤ等により構成され、ＣＰＵ３０で実行される各種プログラム（装置動作のためのプログラム、各種眼内レンズを装用したときの網膜像をシミュレーションするためのプログラム）、各種眼内レンズ（ＩＯＬ）情報、各種ＩＯＬパワー計算式（ＳＲＫ−Ｔ、ＳＲＫ、ＨＯＬＬＡＤＡＹ等）、等を記憶する。なお、ＣＰＵ３０、入力部４０、メモリ３５、モニタ５０、画像処理部３１として、市販のＰＣ（パーソナルコンピュータ）を用い、網膜像シミュレーションプログラムをインストールするようにしてもよい。
【００１２】
なお、シミュレーション装置１には、被検眼角膜の波面収差データを取得するための装置として、角膜形状測定装置１０が接続されている。角膜形状測定装置１０は、被検眼角膜に測定光を照射してその反射光を受光することにより被検眼角膜が持つ波面収差を測定する装置であり、例えば、図１に示すような被検眼角膜にプラチド指標を投影し、その反射光を受光することにより被検眼の角膜形状を測定する装置が考えられる。
【００１３】
なお、本実施形態の角膜形状測定装置１０は、多数のプラチドリングが形成されているプラチド板１１と、プラチド板のリングパターンをほぼ均一に照明する照明光源１２と、角膜に投影されたリングパターン像を撮影するための撮影レンズ１３と、二次元撮像素子１４と、を備える前眼部撮像光学系１５と、制御部１６と、を含む。この場合、前眼部撮影光学系１５は、プラチド像を撮影する他、図示無き所定の投影光学系によって角膜上に形成された角膜頂点輝点と、瞳孔を含む前眼部の像と、の撮影に用いられる。さらに、本実施形態の角膜形状測定装置１０は、被検眼の眼底に測定光束を投影してその反射光を受光することにより被検眼が持つ眼屈折力分布又は波面収差を測定する測定光学系（例えば、特開平１０−１０８８３７に開示された位相差方式やシャックハルトマンセンサを用いた眼収差計など）を備える（図示を略す）。
【００１４】
なお、シミュレーション装置１と角膜形状測定装置１０とは、ＬＡＮ等で接続されており、角膜形状測定装置１０で得られた各種データ（例えば、被検眼角膜の波面収差データ）は、データベースとしてのメモリ３５に転送される。なお、角膜の波面収差を測定する装置としては、上記構成に限るものではなく、前眼部断面撮影装置（例えば、シャインプルーフカメラ）又は前眼部断層撮影装置（例えば、前眼部ＯＣＴ(optical coherence tomography)）であってもよい。この場合、撮影された角膜断面像に基づいて角膜形状が計測され、計測された角膜形状に基づいて角膜の波面収差成分が測定される。
【００１５】
また、メモリ３５に記憶されるＩＯＬ情報は、各ＩＯＬメーカから提供される眼内レンズの各種モデルに関する情報（眼内レンズモデルデータ）であって、例えば、各モデル毎に、モデル名、メーカー名、Ａ定数、術後ＡＣＤ（anterior chamber depth）：予想前房深度（ｍｍ）、眼内レンズが持つ球面収差（μｍ）、を含む。なお、本実施形態における眼内レンズが持つ球面収差（矯正球面収差）とは、所定の眼内レンズを眼内に挿入したときに矯正される球面収差を表すものであり、被検眼角膜が持つ球面収差と共に、術後の被検眼の球面収差を予想値として算出するために利用される。なお、メモリ３５に記憶されたＩＯＬ情報が多焦点眼内レンズに関する情報の場合、遠用焦点で結像する視標光束に関して矯正される遠用球面収差データと、近用焦点で結像する視標光束に関して矯正される近用球面収差データと、を含むことが考えられる。また、多焦点眼内レンズが遠用焦点、近用焦点、中用焦点を持つような場合、各焦点位置に関して矯正される球面収差データを含むことが考えられる。なお、矯正される球面収差量が各焦点位置に関して略一定であれば、これに限るものではない。また、上記説明においては、球面収差としたが、これに限るものではなく、他の高次収差成分に関する収差データを含むようにしてもよい。
【００１６】
なお、各メーカがこのような眼内レンズが持つ球面収差を求める場合、設計条件が既知である所定の模型眼における角膜形状に基づいて角膜球面収差（例えば、＋０．３０μｍ）を求めておくと共に、眼内レンズが挿入されたときの模型眼全体の波面収差に基づいて模型眼全体の球面収差（例えば、＋０．１０μｍ）を求めておき、模型眼全体の球面収差から角膜球面収差を差し引くことで矯正された球面収差を求めることにより球面収差（＋０．１０−（＋０．３０）＝−０．２０）を求める。なお、上記演算処理は、所定の模型眼に対して所定の光学特性を持つ眼内レンズを配置した場合の波面収差をシミュレーションできる光学シミュレーションソフトにより可能である。また、上記説明においては、各メーカから球面収差が提供されるものとしたが、メーカからの提供もしくは各種計測機器の使用によって眼内レンズの光学特性（レンズ曲率半径、屈折率、レンズの厚み、コーニック定数、非球面定数など）を得た上で、所定の模型眼に挿入したときの波面収差をシミュレーションすることによって算出することも可能である。なお、多焦点眼内レンズの場合、遠用焦点で結像する視標光束と近用焦点で結像する視標光束とのそれぞれに関して球面収差を求めることが考えられる。
【００１７】
図２は表示モニタ５０に表示された見え方シミュレーション画面を示す図である。シミュレーション画面１００には、所定の眼内レンズモデルに対応する見え方シミュレーションの結果を表示する領域１０１と、視標の呈示位置を変更するための領域１０３と、瞳孔径を変更するための領域１０５と、角膜乱視を考慮してシミュレーションするか選択するための領域１０７と、が表示されている。
【００１８】
領域１０１には、眼内レンズ装用後（手術後）の所定視標におけるシミュレーション網膜像Ｓ１（例えば、ＥＴＤＲＳチャート（視標チャートの一種）と、装用前（手術前）の所定視標におけるシミュレーション網膜像Ｓ２と、が表示される。
【００１９】
領域１０３には、視標位置を示す目盛１０３ａ（下限：０ｍ位置〜上限：６．０ｍ位置（上限値は変更可））と、シミュレーションする視標位置を入力するためのスライダ（カーソル）１０３ｂと、が表示されている。また、目盛１０３ａには、所定の遠点位置（例えば、５．０ｍ）と所定の近点位置（例えば、０．３ｍ）とを示すグラフィックが表示されている。なお、初期段階においては、視標位置が所定の遠点位置（５、０ｍ）に設定されている。検者によるマウス４１の操作によってスライダ１０３ｂが目盛１０３ａに対して移動されると、網膜像をシュミレーションする際の視標位置が変更される。
【００２０】
領域１０５には、瞳孔径を示すための目盛１０５ａ（下限：１．０ｍｍ〜上限：６．０ｍｍ（上限値、下限値は変更可））と、シミュレーションする瞳孔径を入力するためのスライダ（カーソル）１０５ｂと、が表示されている。また、領域１０５には、視標位置の変化に同期して瞳孔径を変化させるか否かを選択するためのチェック欄１０５ｃが表示されている。なお、初期段階において、シミュレーションする瞳孔径は、予め入力された被検眼の瞳孔径に対応するように設定されている。検者によるマウス４１の操作によってスライダ１０５ｂが目盛１０５ａに対して移動されると、網膜像をシュミレーションする際の瞳孔径が変更される。
【００２１】
また、チェック欄１０５ｃがチェックされた場合、ＣＰＵ３０は、領域１０３上で設定される視標位置に基づいて、シミュレーションに用いる瞳孔径を自動的に変更する。これは、眼が近くを見るときに瞳孔が大きくなり、眼が遠くを見るときに瞳孔が小さくなることが考慮されている。この場合、視標呈示位置と瞳孔径との関係を予め求めておき、これをメモリ３５に記憶させておけばよい。
【００２２】
領域１０７は、角膜乱視を考慮してシミュレーションするか選択するためのチェック欄１０７ａと、乱視度数を入力するための入力欄１０７ｂと、被検眼の乱視軸角度（固定値）と、が表示されている。なお、チェック欄１０７ａがチェックされると、ＣＰＵ３０は、入力欄１０７ｂで入力された乱視度数をシュミレーションデータとして取得し、入力された乱視度数に基づくシミュレーション画像を構築する。
【００２３】
ＣＰＵ３０は、上記のように設定されたシミュレーション用のデータに基づいて，所定の眼内レンズが眼内に挿入された際に所定の視標がどのように被検眼網膜面に形成されるかのシミュレーション画像Ｓ１を取得し、モニタ５０に表示する。なお、本実施形態では、シミュレーション網膜像を取得するために設定される変動パラメータとして、眼内レンズモデルが持つ波面収差データ、被検眼角膜の波面収差データ、視標位置データ、瞳孔径データ、角膜乱視データ、等が設定される。また、本実施形態では、被検者眼の球面屈折誤差（球面度数）が矯正された状態を前提に、シミュレーションが行われる。
【００２４】
上記のような構成を備える装置において、多焦点眼内レンズの見え方シミュレーションを行う場合について図３のフローチャートを用いて説明する。まず、ＣＰＵ３０は、被検眼角膜の波面収差データと、予め選択されたＩＯＬ（眼内レンズ）モデルが持つ遠用球面収差データ及び近用球面収差データとを、メモリ３５から取得する。そして、角膜の波面収差データと、遠用球面収差データ及び近用球面収差データと、に基づいて術後残余波面収差を予想値として演算する。なお、以下の説明においては、被検眼から５．０ｍ離れた位置を遠点位置とし被検眼から０．３ｍ離れた位置を近点位置として説明する。
【００２５】
より具体的には、ＣＰＵ３０は、被検眼角膜の波面収差データに対して遠用球面収差データ分を取り除く（加える）ことによって，遠用焦点に関する術後の波面収差データＷｆ（術後遠用収差データＷｆ）を得る。また、ＣＰＵ３０は、被検眼角膜の波面収差データに対して近用球面収差データ分を取り除く（加える）ことによって，近用焦点に関する術後の波面収差データＷｎ（術後近用収差データＷｎ）を得る。なお、上記において、チェック欄１０７ａがチェックされた場合、被検眼角膜の波面収差データに対して、さらに、乱視軸方向に合わせた角膜乱視データが加えられる。
【００２６】
また、ＣＰＵ３０は、図２のシミュレーション画面で設定入力された瞳孔径データ及び視標位置データを取得する。この場合、ＣＰＵ３０は、シミュレーション画面で瞳孔径又は視標位置が変更されると、これに応じてシミュレーションに用いるデータを変更する。
【００２７】
次に、ＣＰＵ３０は、術後遠用収差データＷｆと術後近用収差データＷｎと視標位置データとに基づいて、設定された視標位置データに対応する点像分布関数（point spread function；ＰＳＦ）を演算により求める。この場合、ＣＰＵ３０は、所定位置に点像が置かれた場合において、遠用焦点で結像する視標光束による遠用ＰＳＦデータと、近用焦点で結像する視標光束による近用ＰＳＦデータと、をそれぞれ取得できる。
【００２８】
ここで、設定された視標位置における遠用ＰＳＦデータを求める場合、設定された視標位置と遠点位置との距離に相当する球面度数データを術後遠用収差データＷｆに対して加えた波面収差データを基に算出する。また、設定された視標位置における近用ＰＳＦデータを求める場合、同様に、設定された視標位置と近点位置との距離に相当する球面度数データを術後近用収差データＷｆに対して加えた波面収差データを基に算出する。
【００２９】
より具体的には、視標位置が遠点位置（５．０ｍ）に設定された場合、ＣＰＵ３０は、術後遠用収差データＷｆを基に遠用ＰＳＦデータを算出する。また、ＣＰＵ３０は、術後近用収差データＷｎに対して（−１／０．３Ｄ）分の球面度数を加えたデータを基に近用ＰＳＦデータを算出する。
【００３０】
また、視標位置が近点位置（０．３ｍ）に設定された場合、ＣＰＵ３０は、術後遠用収差データＷｆに対して（１／０．３Ｄ）分の球面度数を加えたデータを基に遠用ＰＳＦデータを算出する。また、ＣＰＵ３０は、術後近用収差データＷｎを基に近用ＰＳＦデータを算出する。
【００３１】
また、視標位置が遠点位置と近用位置との間の中間位置（例えば、被検眼から２．０ｍ離れた位置）に設定された場合において、遠用ＰＳＦデータを求める場合、遠点位置からの視標の変位量が３．０ｍとなり、球面度数＋（１／３）Ｄが術後遠用収差データＷｆに対して加えられる。また、近用ＰＳＦデータを求める場合、近点位置からの視標の変位量が１．７ｍとなり、球面度数＋（１／１．７）Ｄが術後近用収差データＷｎに対して加えられる。
【００３２】
次に、ＣＰＵ３０は、前述のように設定された瞳孔径データに基づいて、遠用焦点で結像する視標光束の像強度データ（遠用像強度データ）と近用焦点で結像する視標光束の像強度データ（近用像強度データ）とを取得する。なお、各像強度データは、ゾーン型多焦点眼内レンズの場合、例えば、設定された瞳孔領域内において，視標光束が遠用ゾーン（遠用部）を通過したときの像強度と、視標光束が近用ゾーン（近用部）を通過したときの像強度と、の比率を求めることにより取得できる。また、遠用部と近用部との面積比率によって各像強度の強弱が変化することを利用し、設定された瞳孔領域内において，遠用ゾーン（遠用部）と近用ゾーン（近用部）との面積比率を像強度データとして取得してもよい（図４参照）。また、回折型多焦点眼内レンズの場合、例えば、設定された瞳孔領域内において視標光束が回折格子を通過した際の０次回折光による像強度と１次光による像強度の比率とを求めるにより取得できる（図５参照）。
【００３３】
より具体的には、設定された瞳孔径をＷｓとすると、ＣＰＵ３０は、瞳孔径ＷｓをＩＯＬモデルの有効光学部領域（有効領域）Ｋｗとして設定する。そして、ＣＰＵ３０は、メモリ３５に記憶されたＩＯＬモデルの光学部領域に関するデータを用いて、有効領域Ｋｗにおいて、遠用焦点で結像する視標光束と近用焦点で結像する視標光束の像強度との比率を求める。この場合、眼内レンズの全光学部領域において、所定瞳孔径Ｗｓより内側の領域が有効光学部領域として考えることができる。
【００３４】
なお、被検眼の瞳孔径に応じた各像強度データを得る場合、例えば、図４に示すようなデータを基に作成されたテーブルをメモリ３５に予め記憶しておけばよい。図４は、遠用部の割合Ｆと近用部の割合Ｎを瞳孔径（有効領域Ｋｗ）毎に表した場合のグラフの一例であり、ゾーン型の多焦点眼内レンズのものである。図４のゾーン型レンズは、中心部に遠用部が形成され、光学部中心から半径方向に関して近用部と遠用部とが交互に形成されたものである。なお、図４のような関係は、ゾーン型眼内レンズに関して、所定の瞳孔径によって決まる領域内における遠用部と近用部との面積比を予め計測しておけばよい（像強度を計測しても良い）。なお、瞳孔径に応じた各像強度データを求める場合、テーブルを用いる他、遠用部及び近用部に関する光学情報（例えば、レンズ中心からレンズ周辺部までの遠用部と近用部の分布）を予め取得し、光学シミュレーションにより算出してもよい。
【００３５】
図５は、０次光及び１次光の各焦点位置での像強度の比率を瞳孔径毎に表した場合のグラフの一例であり、回折型眼内レンズのものである。回折型の場合、眼内レンズを通過する光は、光学部に形成された複数の回折格子によって各回折次数の光に分けられ、０次光が遠方で焦点が結ばれ、１次光が近方で焦点が結ばれる。なお、図５のような関係は、回折型眼内レンズに関して、所定の瞳孔径によって決まる領域内における０次光による像強度と１次光による像強度とを予め計測しておくことにより算出可能である。また、回折型眼内レンズの回折格子の光学情報（例えば、格子材質の屈折率、格子の形状、等）を予め取得し、光学シミュレーションにより算出してもよい。
【００３６】
次に、ＣＰＵ３０は、前述のようにして取得された各像強度データに基づいて、遠用ＰＳＦデータのコントラストと近用ＰＳＦデータのコントラストとをそれぞれ調整する。この場合、取得された像強度データが大きいほど、網膜上に受光される画像のコントラストが高く、取得された像強度データが小さいほど、網膜上に受光される画像のコントラストが低くなる。なお、コントラストを調整する際の基準となる画像は、前述のように取得される遠用ＰＳＦデータ及び近用ＰＳＦデータの各画像データを利用でき、例えば、その画像データをコントラスト１００％のときの画像として設定できる。
【００３７】
より具体的には、図４の比率データを用いるような場合、ＣＰＵ３０は、遠用部と近用部との比率（Ｆ：Ｎ）が（１００：０）の場合、遠用ＰＳＦデータのコントラストを１００％とし、近用ＰＳＦデータのコントラストを０％とする。また、遠用部と近用部との比率（Ｆ：Ｎ）が（０：１００）の場合、ＣＰＵ３０は、遠用ＰＳＦデータのコントラストを０％とし、近用ＰＳＦデータのコントラストを１００％とする。また、遠用部と近用部との比率（Ｆ：Ｎ）が（５０：５０）の場合、ＣＰＵ３０は、遠用ＰＳＦデータのコントラストを５０％とし、近用ＰＳＦデータのコントラストを５０％とする。
【００３８】
次に、ＣＰＵ３０は、コントラストが調整された各ＰＳＦデータと所定視標の画像データ（ＥＴＤＲＳ（Early Treatment Diabetic Retinopathy Study）全体、ＥＴＤＲＳ全体、風景の各項目）とを画像処理（コンボリューション積分）し、各ＰＳＦデータにおけるシミュレーション画像を得る。次に、ＣＰＵ３０は、遠用ＰＳＦデータによるシミュレーション画像と近用ＰＳＦデータによるシミュレーション画像とを画像処理により重ね合わせる（合成する）。これにより、多焦点眼内レンズ全体としての所定視標のシミュレーション画像Ｓ１が取得される。この場合、ＣＰＵ３０は、遠用ＰＳＦデータと近用ＰＳＦデータとを画像処理により合成した後に、所定視標の画像データとコンボリューション積分させてもよい。そして、ＣＰＵ３０は、取得されたシミュレーション画像Ｓ１をモニタ５０に表示する、又は、メモリ３５に記憶する。
【００３９】
以上のようなシミュレーションによれば、瞳孔径に応じて変化される遠用像強度データ及び近用像強度データに基づいてシミュレーション画像Ｓ１のコントラストが調整される。よって、被検眼の瞳孔径の違いを考慮した網膜像シミュレーションをより良好に行うことができる。したがって、検者は、多焦点眼内レンズを眼内に装用する際の術前のインフォームド・コンセントにおいて、瞳孔径の違いによる見え方の変化を患者に好適に説明できる。
【００４０】
なお、上記説明においては、遠用像強度データと近用像強度データとの相対的なデータを瞳孔径に応じて予め取得しておくものとしたが、これに限るものではなく、各像強度データに関する絶対的な像強度データを瞳孔径に応じて予め取得しておくようにしてもよい。
【００４１】
また、上記の説明においては、瞳孔径Ｗｓを所定値に設定する場合、任意の値を入力できるものとしたが、これに限るものではなく、少なくとも２つの異なる瞳孔径（例えば、４ｍｍと６ｍｍ）が入力できるものであってもよい。
【００４２】
また、被検眼の瞳孔径が周辺の明るさによって変化されることを考慮して、瞳孔径の入力の代わりに、視標が呈示される場所（被検者の居場所）の明るさが入力できるようにしてもよい。例えば、昼間が選択されると、上記シミュレーションに用いる瞳孔径として第１の瞳孔径（例えば、４ｍｍ）が選択される。また、夜間が選択されると、第１の瞳孔径よりも大きい第２の瞳孔径（例えば、６ｍｍ）が選択される。そして、ＣＰＵ３０は、選択された瞳孔径に基づいて網膜像シミュレーションを行う。また、昼間でのシミュレーション画像と夜間でのシミュレーション画像とを同時に出力してもよい。
【００４３】
なお、上記シミュレーションにおいて、視標が呈示される場所（被検者の居場所）の明るさの変更に応じて、シミュレーションに用いる所定視標のコントラストが変化されるようにしてもよい。より具体的には、前述のような昼間と夜間とにおける網膜像シミュレーションを行うときに用いることができる。この場合、シミュレーション用の所定視標のコントラストを昼間用（コントラスト高）と夜間用（コントラスト低）とでそれぞれメモリ３５に記憶しておく。そして、モニタ５０上において昼間と夜間とを選択可能な表示領域を設けておく。ここで、昼間が選択されると、シミュレーション視標のコントラストが昼間用に設定された状態において、網膜像のシミュレーションがなされる。また、夜間が選択されると、シミュレーション視標が夜間用に設定された状態において、網膜像のシミュレーションがなされる。
【図面の簡単な説明】
【００４４】
【図１】本実施形態に係る眼科測定プログラムを備えるシミュレーション装置（眼科測定装置）の全体構成について説明するブロック図である。
【図２】表示モニタに表示された見え方シミュレーション画面を示す図である。
【図３】多焦点眼内レンズの見え方シミュレーションを行う場合について説明するためのフローチャートである。
【図４】ゾーン型レンズにおいて、遠用部の割合と近用部の割合を瞳孔径毎に表した場合のグラフの一例である。
【図５】回折型眼内レンズにおいて、０次光及び１次光の各焦点位置での像強度の比率を瞳孔径毎に表した場合のグラフの一例である。
【符号の説明】
【００４５】
３０  ＣＰＵ
３５  メモリ
５０  モニタ
【図１】
2010200915.tif 000003
【図２】
2010200915.tif 000004
【図３】
2010200915.tif 000005
【図４】
2010200915.tif 000006
【図５】
2010200915.tif 000007